(57)【特許請求の範囲】
【請求項１】
上下方向に並設された複数の長尺状の導電バーと、一方側に導電バーを短手方向から差込接続する受刃を配設させる挿入溝、及び他方側に被引掛部が形成されて導電バーの短手方向に配置される複数の回路遮断器と、前記被引掛部を引っ掛ける引掛部を有して同回路遮断器を取着させるベースとを備えた分電盤において、
前記引掛部及び被引掛部を、前記受刃に前記導電バーを差し込む直線方向に回路遮断器を移動させベースに回路遮断器を配置したときに係合し回路遮断器が上側にずれる方向の移動を防止する位置に形成し、且つ前記回路遮断器の他方側位置に、ベースに回路遮断器を配置した後に変位させて同回路遮断器を取着させた状態で受刃が導電バーから外れる直線方向への移動を阻止する係止部材を配設し、
前記係止部材を、前記回路遮断器の他方側端面との対向位置に設け、受刃に導電バーを差し込んだ後に前記ベースの取着面と平行な面に沿って回動させ係止片を前記他方側端面に形成された被係止部に向けて係合させるように形成し、
前記係止部材を、前記ベースの取着面の裏面側に回動軸が突設され且つ周縁に前記係止片が外向きに延設された略板状の基台を有する成形体とし、
前記基台を略円盤状とし、前記係止片がその円中心より外側の周縁を横切るよう形成させてなることを特徴とする分電盤。
【請求項２】
前記係止片は、前記基台に立設された突片、及び同突片から横向きに突設された押片をもって側面視略Ｌ字状に形成され、基台を一方向に回動させたときに該押片が前記被係止部に位置決めされ係合される請求項１記載の分電盤。
【請求項３】
前記係止部材を、前記ベースと並設される別部材の第２ベースに配設させ、前記回動軸を同第２ベースに保持させた請求項１又は２のいずれか一つの請求項に記載の分電盤。
【請求項４】
前記回動軸は、その軸方向の挿入位置決めをし回動させる横向きの位置決め片を有し、前記第２ベースと基台下面との各当接面には、前記回路遮断器の取着状態で前記係止片が被係止部に係合した状態において基台の他方向の回動を阻止する凹凸嵌合部を設けた請求項３記載の分電盤。
【請求項５】
前記押片を、前記基台が一方向へ回動するにつれて前記被係止部をベース側へ向け押圧し係合されるよう厚みを変化し形成させた請求項３又は４記載の分電盤。
【発明の詳細な説明】
【０００１】
【発明の属する技術分野】
本発明は、導電バーを差込み接続するプラグイン方式の回路遮断器を備える分電盤に関するものである。
【０００２】
【従来の技術】
従来から、この種の分電盤としては、導電バーに差し込むプラグイン方式の回路遮断器を、回路遮断器を取着させるベース側に配設された導電バーにそのまま単に差込み接続し、また回路遮断器を離脱させるときにはそのまま抜くようにする、例えば特開平１１−６９５３０として開示されているものが知られている。
【０００３】
また、本出願人は、上記の差し込み接続の作業性向上を図った、上下方向に並設された複数の長尺状の導電バーと、これらの導電バーを支持するバー取付部材と、一方側に導電バーを短手方向から差込接続する受刃を配設させる挿入溝が形成されるとともに他方側に被引掛部が形成されて導電バーの短手方向に配置される複数の回路遮断器１０１と、前記被引掛部を引っ掛ける引掛部を有して同回路遮断器１０１を取着させるベースとを備えた、図９に示すような住宅用の分電盤１００を提案している（特開２００１−１３６６１１）。この場合、引掛部及び被引掛部を、前記受刃に前記導電バーを差し込む直線方向に回路遮断器を移動させベースに回路遮断器を配置したときに係合し回路遮断器が上側にずれる方向の移動を防止する位置に形成している。また、回路遮断器の上面に、回路遮断器をベースに取着させた状態において係止させるための押さえ部材を導電バー、あるいはバー取付部材に設け、この押さえ部材によって回路遮断器を係止するようにして、回路遮断器を取着させた状態で受刃が導電バーから外れる方向への移動を阻止している。
【０００４】
【発明が解決しようとする課題】
しかしながら、上記従来の技術の住宅用の分電盤１００にあっては、上記他方側となる負荷端子に接続させる電線は、分電盤背面の壁から前面側へ引き出して分電盤内部へ引き込みして接続する方式であり、分電盤外部から電線が引っ張られたときに回路遮断器への力が加わることが無い。しかし、ビル、あるいは工場に設置されるいわゆる非住宅用の分電盤にあっては、分電盤内部への電線引き込みは、多くの場合、分電盤の上または下側の側板より成される。したがって、分電盤への引き込み電線が外部から強い力で引っ張られたときに、この力が直接接続端の回路遮断器へ加わり、上記押さえ部材による係止が外れて受刃と導電バーとの差し込み接続状態が不安定となることが懸念される。
【０００５】
本発明は、上記事由に鑑みてなしたもので、その目的とするところは、受刃と導電バーとの差し込み接続の作業性を維持して回路遮断器を安定状態に固定できる分電盤を提供することにある。
【０００６】
【課題を解決するための手段】
上記目的を達成するために、本発明の分電盤にあっては、上下方向に並設された複数の長尺状の導電バーと、一方側に導電バーを短手方向から差込接続する受刃を配設させる挿入溝、及び他方側に被引掛部が形成されて導電バーの短手方向に配置される複数の回路遮断器と、前記被引掛部を引っ掛ける引掛部を有して同回路遮断器を取着させるベースとを備えた分電盤において、前記引掛部及び被引掛部を、前記受刃に前記導電バーを差し込む直線方向に回路遮断器を移動させベースに回路遮断器を配置したときに係合し回路遮断器が上側にずれる方向の移動を防止する位置に形成し、且つ前記回路遮断器の他方側位置に、ベースに回路遮断器を配置した後に変位させて同回路遮断器を取着させた状態で受刃が導電バーから外れる直線方向への移動を阻止する係止部材を配設したことを特徴としている。
【０００７】
この構成にて、回路遮断器は、その一方側の挿入溝に導電バーを差し込まれ、他方側の被引掛部が引っ掛けられてベースから上側にずれる方向の移動を防止され、且つ他端側において、ベースに回路遮断器を配置した後に変位される係止部材にて、回路遮断器が取着された状態で受刃が導電バーから外れる直線方向への移動が阻止される。
【０００８】
そして、具体的には、上記係止部材を、回路遮断器の他方側端面との対向位置に設け、受刃に導電バーを差し込んだ後に前記ベースの取着面と平行な面に沿って回動させ係止片を前記他方側端面に形成された被係止部に向けて係合させるように形成することが好ましい。この場合、回路遮断器は、受刃に導電バーを差し込んで取着された後にベースの取着面と平行な面に沿って係止部材が回動され、その係止片が回路遮断器の他方側端面に形成された被係止部に向けて係合されることによって受刃が導電バーから外れる直線方向への移動が阻止される。
【０００９】
また、上記係止部材を、前記ベースの取着面の裏面側に回動軸が突設され且つ周縁に前記係止片が外向きに延設された略板状の基台を有する成形体とするのが好ましい。この場合、ベースの取着面を上面位置とする略板状の基台をもった成形体が、その裏面側に突設された回動軸を中心に取着面と平行な面に沿って回動され、基台周縁に外向きに延設された係止片が、回路遮断器の他方側端面に形成された被係止部に向けて係合される。
【００１０】
また、上記基台を略円盤状とし、前記係止片がその円中心より外側の周縁を横切るよう形成させるのが好ましい。この場合、ベースの取着面を上面とする略板状で略円盤状の基台が回動され、且つその基台の円中心より外側の周縁を横切り外向きに延設された係止片が被係止部に向けて係合される。
【００１１】
また、上記係止片は、前記基台に立設された突片、及び同突片から横向きに突設された押片をもって側面視略Ｌ字状に形成され、基台を一方向に回動させたときに該押片が前記被係止部に位置決めされ係合されるのが好ましい。この場合、ベースの取着面を上面とする係止部材の略板状の基台を、裏面側に突設された回動軸を中心に一方向に回動させたときに、その基台周縁に立設された突片及び横向きに突設された押片をもって外向きに側面視略Ｌ字状に延設された係止片の押片が、回路遮断器の他端側端面に形成された被係止部にて位置決め係合される。
【００１２】
また、上記係止部材を、前記ベースと並設される別部材の第２ベースに配設させ、前記回動軸を同第２ベースに保持させるのが好ましい。この場合、ベースの取着面を上面とする係止部材の略板状の基台が、裏面側に突設された回動軸を中心に、ベースと並設される別部材の第２ベースにおいて保持され且つ取着面と平行な面に沿って回動されて係止片が被係止部に向けて係合される。
【００１３】
また、上記回動軸は、その軸方向の挿入位置決めをし回動させる横向きの位置決め片を有し、前記第２ベースと基台下面との各当接面には、前記回路遮断器の取着状態で前記係止片が被係止部に係合した状態において基台の他方向の回動を阻止する凹凸嵌合部を設けるのが好ましい。この場合、ベースの取着面を上面とする係止部材の略板状の基台が、ベースと並設される板金製の第２ベースにおいて回動自在に保持され、且つ裏面側に突設された回動軸を中心に横向きの位置決め片を介して軸方向の挿入位置決めがなされて取着面と平行な面に沿って回動されて係止片が被係止部に向けてクリック感をもって係合されて、係止片が被係止部に係合した状態において、第２ベース及び基台下面の各当接面に設けられた凹凸嵌合部にて基台の他方向への回動が阻止されて回路遮断器が取着される。
【００１４】
また、上記押片を、前記基台が一方向へ回動するにつれて前記被係止部をベース側へ向け押圧し係合されるよう厚みを変化し形成させるのが好ましい。この場合、ベースの取着面を上面とする係止部材の略板状の基台が、裏面側に突設された回動軸を中心に、ベースと並設される板金製の第２ベースにおいて回動自在に保持されて取着面と平行な面に沿って回動され、厚みを変化し形成された係止片押片が、基台を一方向へ回動させるにしたがってベース側へ向けて被係止部を押圧するようにして係合される。
【００１５】
【発明の実施の形態】
図１乃至図８は、請求項１乃至８全ての発明に対応する一実施の形態を示し、図１は、本発明の一実施形態の分電盤の概略構成を示す側面断面図、図２は、同分電盤の保護板を外した状態の正面図、図３は、同分電盤の回路遮断器及びベースを見た斜視図、図４は、同分電盤の係止部材の斜視図を示し、（ａ）は上方から見た状態、（ｂ）は下方から見た状態を示す。図５は、同分電盤の係止部材及び第２ベースの説明図、図６は、同分電盤の係止部材の使用状態の説明図、図７は、同分電盤の係止部材の使用状態の他の説明図、図８は、同分電盤の別の実施例において、係止部材を第２ベースに配設した状態の斜視図である。
【００１６】
この実施形態の分電盤は、上下方向に並設された複数の長尺状の導電バー８１〜８３と、一方側に導電バー８１〜８３を短手方向から差込接続する受刃２４を配設させる挿入溝２１、及び他方側に被引掛部２３が形成されて導電バー８１〜８３の短手方向に配置される複数の回路遮断器２と、前記被引掛部２３を引っ掛ける引掛部６６を有して同回路遮断器２を取着させるベース４とを備えた分電盤１において、前記引掛部６６及び被引掛部２３を、前記受刃２４に前記導電バー８１〜８３を差し込む直線方向に回路遮断器２を移動させベース４に回路遮断器２を配置したときに係合し回路遮断器２が上側にずれる方向の移動を防止する位置に形成し、且つ前記回路遮断器２の他端側位置に、ベース４に回路遮断器２を配置した後に変位させて同回路遮断器２を取着させた状態で受刃２４が導電バー８１〜８３から外れる直線方向への移動を阻止する係止部材９を配設してなる。
【００１７】
また、具体的には、係止部材９を、前記回路遮断器２の他端側端面との対向位置に設け、受刃２４に導電バー８１〜８３を差し込んだ後に前記ベース４の取着面と平行な面に沿って回動させ係止片を前記端面に形成された被係止部２６に向けて係合させるように形成しており、この場合、係止部材９を、前記ベース４と並設される別部材の第２ベース７に配設させている。
【００１８】
詳しくは、この分電盤１は、例えばビル、あるいは工場に設置される非住宅用の分電盤で、図２に示すように、箱状のボディ１１と、このボディ１１の開口部に開閉自在に取り付けられる扉体１６とで構成され、ボディ１１の底部には主幹回路遮断器３及び複数の分岐回路遮断器である回路遮断器２を配設し、これら回路遮断器３、２は、その操作部Ｈがボディ１１内側に開閉自在となるよう設けられる保護板１５の窓孔１５ａ，１５ｂより外部に露出されるように、ボディ１１内に並設される固定台１２，１２上に板金製の内器支持台１３及び固定ベース１４を介して配設される。
【００１９】
回路遮断器２は、図２に示すボディ１１内の略中央位置おいて、左右２列に配設され、その各列には１２台がそれぞれ所定間隔をもって並設される。この場合、これら回路遮断器２の左右２列間には上記の３つの導電バー８１〜８３が回路遮断器２の並設方向に延長するように配置される。この回路遮断器２は、内部に２極の開閉機構部を内蔵するもので、図１に示す如く、一方側に上記導電バー８１〜８３に対応するよう上、中、下の三段の挿入溝２１が上下方向に、上段の挿入溝２１の高さ位置はベース４に配設したときに丁度最上段の導電バー８１の高さ位置に対応し、また、中段の挿入溝２１は導電バー８２或いは８３の脚片の高さ位置に対応し、さらに、下段の挿入溝２１は、導電バー８２或いは８３の脚片の高さ位置にそれぞれ形成され、他方側には、両側面に側方と下端とが開口した逆Ｌ状の凹所２２、及びこの凹所２２の横凹部により形成される凸嵌合部２３ａをもった被引掛部２３、端面の分岐電線挿入口２５下方に被係止部２６となる所定深さの凹所が形成され、さらに一方側の上面に、回路遮断器２をベース４に取着させた状態において係止させるための押さえ部材１０に対応する２つの突片２７を有して形成される。
【００２０】
この回路遮断器２では、図１に示すように、上段の挿入溝２１内には中性極Ｎの導電バー８１側縁からなる回路遮断器接続部を差し込み接続する端子接続部たる受刃２４を配置し、中段及び下段の何れかの挿入溝２１の一方にＬ１或いはＬ２の電圧極の導電バー８２，８３の回路遮断器接続部を差し込む受刃２４を配設し、他方を受刃が配設されていない収納部としている。
【００２１】
図３は、回路遮断器２を、ボディ１１の底部に上記固定台１２及び固定ベース１４を介して取り付けるためのベース４を示しており、このベース４は、両側縁が図１において上方向に折り曲げられた１枚の板金製の基板５、この基板５の中央に配設される長尺状の合成樹脂製の取付台６からなる。この場合、取付台６は、基板５の中央に配設される上記導電バー８１〜８３の固定部を兼ねており、３本の導電バー８１、８２、８３が固定ねじＳを介して固定されるようになっている。また、係止部材９を配設させる別部材の第２ベース７は、この場合板金製で、ベース４と基板５の両側縁において並設される。
【００２２】
基板５は、図３に示すように、中央部をボディ１１方向に凹ませ、この中央凹部５１の両側より側方に延長した各側片５２，５２を、後述する取付台６両側において回路遮断器２を載置可能となるよう折曲されている。この基板５の中央凹部５１には、取付台６を圧入固定させる固定穴が穿設されており、また、図２において上下となる長手方向両端に設けた長孔５ａに挿通される固定ねじ（図示せず）により基板５がボディ１１の底部に固定されるようになっている。
【００２３】
取付台６は、上記中央凹部５１内に配置されるもので、背面には、上記固定穴群に嵌まる円筒部６１群を突出させてあり、この円筒部６１を上記固定穴に嵌めることで位置決めされる。この取付台６の中央には、中性極Ｎの導電バー８１を支持するための支持ポスト６２を図２において上下となる両端に１つづつ一体突設してある。
【００２４】
また、上下両端の支持ポスト６２，６２間を結ぶ中央部の両側の平面部は、Ｌ１，Ｌ２の電圧極の導電バー８２．８３を配置する配置部位となる。また支持ポスト６２，６２間には導電バー８２，８３から一体に延長形成された脚片のうち回路遮断器接続部の内高い位置にある脚片８２ａの支持用リブ６３と、この脚片８２ａ及び低いほうの脚片８３ａの基部を沿わせるリブ６４とを突設してある。
【００２５】
この取付台６の、回路遮断器２を取着させる取着面６ａとなる左右両側の上面には、図３に示すように、回路遮断器２の器体の両側面を挟み込むようにして位置決めをする位置決め突起６５，６５と、上記端子接続部を設けた一方側とは反対側の器体の他方側の両側面の下部に、前述の凹所２２の下面開口より挿入され、回路遮断器２の移動により水平片により構成される引掛部６６の逆Ｌ状の突起とを、配列する回路遮断器２数に対応して一体に突設してある。また、引掛部６６には、凹所２２に形成された被引掛部２３に挿入して、被引掛部２３の底部に形成された凸嵌合部２３ａを嵌合して引掛係止する凹み嵌合部６６ａが形成されている。
【００２６】
第２ベース７は、回路遮断器２の他端側端面との対向位置に後述する係止部材９を設けるためのもので、この場合、平板状の支持片７１から、図１において下方及びボディ１１内側に向かう、立片７２及び固定片７３が折曲形成され、この支持片７１に係止部材９の軸受部となる軸穴７４、係止部材９の回動を阻止させる凹凸嵌合部の一方となる突起７５が上記所定間隔をもって延出されている。この第２ベース７は、後述する固定ベース１４に固着されて基板５の両側に配設される。
【００２７】
係止部材９は、回路遮断器２をベース４へ取着させた状態で受刃２４が導電バー８１〜８３から外れる直線方向への移動を阻止するもので、この場合、前記取着面６ａを上面位置としてその裏面側に回動軸９２が突設され且つ周縁に前記係止片９３が外向きに延設された略板状の基台９１を有し、例えば合成樹脂の成形体にて形成される。
【００２８】
この係止部材９は、図４に示すように、基台９１をその中心位置にプラス形状のドライバ溝９５をもった略円盤状とし、係止片９３がその円中心より外側の周縁を横切るよう形成されており、また、基台９１下面には、回路遮断器２の取着状態で係止片９３が被係止部２６に係合した状態において基台９１の他方向の回動を阻止する、前述の凹凸嵌合部の他方となる所定深さの外向きの溝９６が設けられている。このものの係止片９３は、基台９１に基端部が膨大するように立設された突片、及び同突片から横向きに突設された所定幅をもった押片９４をもって側面視略Ｌ字状に形成し、押片９４の幅方向の一側を、基台９１を一方向に回動させたときにその押片９４が被係止部２６に位置決めされ係合されるように滑らかに切り欠いてある。また、この押片９４は、基台９１が一方向へ回動するにつれて被係止部２６をベース４側へ向け押圧し係合されるよう押片９４の上記一側が厚くなるように厚みを変化し形成している。
【００２９】
回動軸９２は、その基端側に向けて拡開させた第２ベース７からの抜け止め突起９７を横切る方向に有し、また、その軸方向の挿入位置決めをし回動させる当該抜け止め突起９７に直交する方向の横向きの位置決め片９８を有しており、回路遮断器２の他端側位置に配設される第２ベース７に回動自在となるよう配設される。すなわち、このものの第２ベース７の軸穴７４においては、図５に示すように、上記位置決め片９８を通過させる切欠７４ａが設けられており、回路遮断器２の取着状態で係止部材９を回動し、係止片９３が被係止部２６に係合した状態において位置決め片９８を介して係止部材９の軸方向の挿入位置決めがなされて、係止部材９の基台９１下面の溝９６と第２ベース７の支持片７１の突起７５とによって基台９１の他方向への回動が確実に阻止される。
【００３０】
なお、この場合係止部材９を回動させるにあたっては、上記ドライバ溝９５にドライバ先端を挿入し、ドライバを回転させて行うことができ、このドライバ溝９５によって、押片９４を被係止部２６から被係止部２６外に向け変位させて、２つの回路遮断器２の被係止部２６から上記係合片９３を容易に離脱させることができて、例えばボディ１１内部の狭い箇所においての操作性に優れる。
【００３１】
導電バー８２，８３は、同一形状に形成されて対称配置されるようになっているもので、両端には固定ねじＳを挿通する挿通孔（図示せず）が設けられ、この固定ねじＳを挿通孔を介して、基板５の中央凹部５１の背面に配置されるナットに締結することで固持されるようになっている。
【００３２】
この導電バー８２，８３は、配置されたときに内側となる側縁より回路遮断器２の配列個数に対応するよう、一定間隔にてその基部を折り曲げにより立ち上がらせ、この基部の上端の片側からは、さらに外側方向に向けて脚片８２ａ、８３ａを水平延長形成し、この脚片８２ａ、８３ａに隣接する当該基部の上端には、内側方向に向くように逆Ｌ状に折り曲げた延長片たる水平片８２ｂ、８３ｂが形成してある。そして上記脚片８２ａ、８３ａとこの水平片８２ｂ、８３ｂが夫々回路遮断器２の一方側に設けられた電圧極用端子接続部となる挿入溝２１に差し込み接続される回路遮断器接続部を構成する。なお、導電バー８２，８３は、ベース４がボディ１１へ配設される前に、基板５上の夫々の配置部位に配置固定される。また、取付台６は、導電バー８２，８３を基板５に配設した後に中央凹部５１内に配設される。
【００３３】
このものにおいては、前述した支持ポスト６２間に橋絡配設された導電バー８１の上面には、両側に配置される回路遮断器２の上面に臨む弾性突出片１０１を有した押さえ部材１０（図１参照）を取着してある。この押さえ部材１０は合成樹脂成形品からなり、両側の夫々３台の回路遮断器２に対応するもので、導電バー８１には４組が配置されるようになっている。この各押さえ部材１０は、図３に示すように、下面両側に導電バー８１の上面に載置する支持台１０３を一体に係止するとともに、支持台１０３間には導電バー８１に穿設してある丸孔に圧入される円柱状突起を（いずれも図示せず）下面に２つ所定間隔で一体突設し、各支持台１０３と隣接するその突起間、そして両突起間には夫々揺動自在に一端が連結片により支持された弾性突出片１０１を両側に３つずつ一体形成しある。そして、導電バー８１に取り付けられた時に、夫々の弾性突出片１０１の先端部が正規位置に配置される回路遮断器２の内側位置の上面に臨むように突出するようになっており、夫々の先端部両側には回路遮断器２の内側位置の上面に並設した２つの突片２７に係止する係止部１０２を側方に突出形成してある。
【００３４】
固定ベース１４は、ベース４及び第２ベース７の両端部すなわち図２において上下それぞれに設けられた長孔５ａ、固定部７６，７６を固定ねじ（図示せず）にて固定することでボディ１１内に、回路遮断器２の配設されたベース４を設置させる。なお、この場合、この固定ベース１４上方には主幹回路遮断器３が板状の内器支持台１３に予め配設され螺子固定にて設置される。
【００３５】
上記の分電盤１において、第２ベース７は、予め係止部材９の所定個数のものの回動軸９２を軸穴７４に挿入させて回動自在に配設され、固定ベース１４に固定されボディ１１内の回路遮断器２の他端側となるベース４と並ぶ位置に配設されている。そして、回路遮断器２をベース４に配設固定するにあたっては、まず、回路遮断器２を配設したい位置の取付台６上の一対の突起６５，６５間に挿入溝２１側の一方側の器体下部を嵌めるとともに、他方側の器体両側側面の凹所２２の下部開口より引掛部６６を凹所２２内に嵌めて、図６に示すように取付台６上に載置する。このとき、係止部材９の係止片９３が略板状で略円盤状の基台９１の円中心より外側の周縁を横切り外向きに延設され、且つ基台９１上面がベース４の取着面６ａと同一となるので、回路遮断器２を安定状態に載置させることができる。
【００３６】
次いで、直線方向へ移動すると、挿入溝２１に中性極Ｎの導電バー８１の側縁たる回路遮断器接続部が挿入されて受刃２４の開口に臨み、また中段の挿入溝２１にはＬ１或いはＬ２の電圧極の導電バー８２或いは８３の脚片が臨み、さらに下段の挿入溝２１にはＬ２或いはＬ１の電圧極の導電バー８２或いは８３の脚片が臨み、同図において挿入溝２１内に配置されている受刃２４にそれぞれの脚片が臨み挿入されることになる。また、引掛部６６は、凹所２２内において被引掛部２３を引っ掛け、押さえ部材１０の対応する弾性突出片１０１の先端部には、回路遮断器２の上面に形成した２つの突片２７が臨む。
【００３７】
その後、回路遮断器２の一方側の挿入溝２１に導電バー８１〜８３を差し込まれ、他方側の被引掛部２３が引掛部６６に引っ掛けられてベースから上側にずれる方向の移動を防止されて受刃２４に導電バー８１〜８３のうちの２つを差し込んで取着される。この状態において、当該基台９１が時計方向に向けて回動されて、図７（ａ）に示すように係止片９３が回路遮断器２の他端側端面に形成された被係止部２６に向けてクリック感をもって係合される。このようにして図１に示すように、回路遮断器２は、その一方側においてベース４から上側にずれる方向の移動を防止され、且つ他端側において、ベース４に回路遮断器２を配置した後に変位される係止部材９にて、回路遮断器２が取着された状態で受刃２４が導電バー８１〜８３から外れる直線方向への移動が阻止されるのである。なお、このとき、回路遮断器２のベース４への取着面６ａと平行な面に沿って係止部材９が時計方向に回動され、係止部材９の係止片９３が回路遮断器２の被係止部２６に向けて係合されて受刃２４が導電バー８１〜８３から外れる直線方向への移動が阻止されるが、図７（ｂ）に示すように係止部材９が反時計方向に回動されたときにおいては。係止片９３の端部が回路遮断器２に当たることとなって、係止片９３は回路遮断器２の被係止部２６に係合されない。
【００３８】
すなわち、回路遮断器２はベース４への取着面６ａを上面とする係止部材９の略板状の基台９１を、裏面側に突設された回動軸９２を中心として時計方向の一方側の回転のみにてその基台９１周縁に立設された突片及び横向きに突設された押片９４をもって外向きに側面視略Ｌ字状に延設された係止片９３の押片９４が、回路遮断器２の他端側端面に形成された被係止部２６にて位置決めされ係合されて係止され、他方向となる反時計方向の回転においては係止されることが無いので操作が解りやすく、また、基台９１が、ベース４と並設される板金製の第２ベース７において回動自在に保持され、且つ裏面側に突設された回動軸９２を中心に横向きの位置決め片９８を介して軸方向の挿入位置決めがなされて取着面６ａと平行な面に沿って回動される。そのため、係止片９３が被係止部２６に向けて係合された状態において、基台９１の他方向への回動が、第２ベース７及び基台９１下面の各当接面に設けられた凹凸嵌合部にて確実に阻止される。
【００３９】
さらに係止部材９が、基台９１裏面側に突設された回動軸９２を中心に、ベースと並設される板金製の第２ベース７において、厚みを変化し形成された係止片９３の押片９４が回路遮断器２の取着面６ａと平行な面に沿って回動され、基台９１を一方向へ回動させるにしたがって当該押片９４にてベース４側へ向けて被係止部２６を押圧するようにして係合され、以て、ガタツキ無く回路遮断器２が取着されるのである。
【００４０】
なお、このように受刃２４に導電バー８１〜８３を差し込んで取着された後に、ベース４上に配設した回路遮断器２を取り外す場合には、係止部材９の略板状の基台９１のドライバ溝９５にドライバ先端を挿入し、ドライバを反時計方向に回動させて押片９４を被係止部２６から被係止部２６外に向け変位し離脱させ、その後に先端部の引掛部６６を回路遮断器２の被引掛部２３から離脱させる。これにより回路遮断器２を引外し方向へ移動させることが可能となり、この状態で回路遮断器２を引外し方向へ直線移動させれば、被引掛部２３と引掛部６６との凹凸嵌合が外れ、凹所２２の下面開口位置上方へ引掛部６６が移動するまで回路遮断器２を移動させ、その後上方へ持ち上げれば回路遮断器２を取り外すことができることになる。
【００４１】
したがって、以上説明した分電盤１によると、回路遮断器２は、その一方側の挿入溝２１に導電バー８１〜８３を差し込まれ、他方側の被引掛部２３が引っ掛けられてベース４から上側にずれる方向の移動を防止され、且つ他端側において、ベース２に回路遮断器２を配置した後に変位される係止部材９にて、回路遮断器２が取着された状態で受刃２４が導電バー８１〜８３から外れる直線方向への移動が阻止されるので、受刃２４と導電バー８１〜８３との差し込み接続の作業性を維持して回路遮断器２を安定状態に固定できる。
【００４２】
そして、回路遮断器２は、受刃２４に導電バー８１〜８３を差し込んで取着された後にベース４の取着面６ａと平行な面に沿って係止部材９が回動され、その係止片９３が回路遮断器２の他端側端面に形成された被係止部２６に向けて係合されることによって受刃２４が導電バー８１〜８３から外れる直線方向への移動が阻止されるので、操作性に優れ、しかも、ベース４の取着面６ａを上面位置とする略板状の基台９１をもった成形体が、その裏面側に突設された回動軸９２を中心に取着面６ａと平行な面に沿って回動され、基台９１周縁に外向きに延設された係止片９３が、回路遮断器２の他端側端面に形成された被係止部２６に向けて係合されるので、比較的簡単な構成にて実現可能となりコスト面において優れる。
【００４３】
また、ベース４の取着面６ａを上面とする略板状で略円盤状の基台９１が回動され、且つその基台９１の円中心より外側の周縁を横切り外向きに延設された係止片９３が被係止部２６に向けて係合されるので、回路遮断器２を安定状態に載置させて係止片９３を被係止部２６に係合できて作業性が優れ、しかも基台９１を、裏面側に突設された回動軸９２を中心に一方向に回動させたときに、その基台９１周縁に立設された突片及び横向きに突設された押片９４をもって外向きに側面視略Ｌ字状に延設された係止片９３の押片９４が、回路遮断器２の他端側端面に形成された被係止部２６にて位置決め係合されるので、操作が解りやすくてより作業性を向上できる。
【００４４】
また、基台９１が、ベース４と並設される板金製の第２ベース７において回動自在に保持され、且つ裏面側に突設された回動軸９２を中心に横向きの位置決め片９８を介して軸方向の挿入位置決めがなされて取着面６ａと平行な面に沿って回動されて係止片９３が被係止部２６に向けてクリック感をもって係合されて、係止片９３が被係止部２６に係合した状態において、第２ベース７及び基台９１下面の各当接面に設けられた凹凸嵌合部にて基台９１の他方向への回動が阻止されるので、回路遮断器２をより操作感良く且つ安定な状態にて固定でき、さらに、基台の裏面側に突設された回動軸９２を中心に、ベースと並設される板金製の第２ベース７において係止部材９が回動自在に保持されて取着面６ａと平行な面に沿って回動されて、厚みを変化し形成された係止片９３の押片９４が、基台９１を一方向へ回動させるにしたがってベース４側へ向けて被係止部２６を押圧するようにして係合されるので、回路遮断器２がガタツキ無くさらに安定状態に固定される。
【００４５】
なお、本発明は、上記に示されたもの以外に、例えば、図８に示すように、別部材の第２ベース７に、回路遮断器２の個数に対応した数の係止部材９の回動軸９２を保持させて配設させ、ベース４に回路遮断器２を配置した後にベース４と並設させて、回路遮断器２を取着させた状態で受刃２４が導電バー８１〜８３から外れる直線方向への移動を阻止させるようにしても良い。これにより、一度の作業にて多数の回路遮断器２を受刃２４が導電バー８１〜８３から外れる直線方向への移動が阻止されるので、組立作業性に優れる。なお、この場合、回路遮断器２を取り外すときには、係止部材９の略板状の基台９１を裏面側に突設された回動軸９２を中心に回動させて被係止部２６から係止片９３の係合を外し、回路遮断器２を個々に取り外すことができる。
【００４６】
【発明の効果】
本発明は、上述の如く実施されて、請求項１記載の分電盤にあっては、回路遮断器は、その一方側の挿入溝に導電バーを差し込まれ、他方側の被引掛部が引っ掛けられてベースから上側にずれる方向の移動を防止され、且つ他方側において、ベースに回路遮断器を配置した後に変位される係止部材にて、回路遮断器が取着された状態で受刃が導電バーから外れる直線方向への移動が阻止されるので、受刃と導電バーとの差し込み接続の作業性を維持して回路遮断器を安定状態に固定できる。
【００４７】
また、請求項１記載の分電盤にあっては操作性に優れる。
【００４８】
また、請求項１記載の分電盤にあっては、比較的簡単な構成にて実現可能となりコスト面において優れる。
【００４９】
また、請求項１記載の分電盤にあっては、回路遮断器を安定状態に載置させて係止片を被係止部に係合できて作業性が優れる。
【００５０】
また、請求項２記載の分電盤にあっては、操作が解りやすくてより作業性を向上できる。
【００５１】
また、請求項３記載の分電盤にあっては、、一度の作業にて多数の回路遮断器の受刃が導電バーから外れる直線方向への移動を阻止させることもできで、組立作業性に優れる。
【００５２】
また、請求項４記載の分電盤にあっては、回路遮断器をより操作感良く且つ安定な状態にて固定できる。
【００５３】
また、請求項５記載の分電盤にあっては回路遮断器がガタツキ無くさらに安定状態に固定される。
【図面の簡単な説明】
【図１】本発明の一実施形態の分電盤の概略構成を示す側面断面図である。
【図２】同分電盤の保護板を外した状態の正面図である。
【図３】同分電盤の回路遮断器及びベースを見た斜視図である。
【図４】同分電盤の係止部材の斜視図を示し、（ａ）は上方から見た状態、（ｂ）は下方から見た状態を示す。
【図５】同分電盤の係止部材及び第２ベースの説明図である。
【図６】同分電盤の係止部材の使用状態の説明図である。
【図７】同分電盤の係止部材の使用状態の他の説明図である。
【図８】同分電盤の別の実施例において、係止部材を第２ベースに配設した状態の斜視図である。
【図９】本発明の従来例である分電盤を示す、蓋体を外した状態の正面図である。
【符号の説明】
１    分電盤
２    回路遮断器
２１  挿入溝
２３  被引掛部
２４  受刃
２６  被係止部
４    ベース
５    基板
６    取付台
６ａ  取着面
６６  引掛部
７    第２ベース
８１、８２、８３  導電バー
９    係止部材
９１  基台
９２  回動軸
９３  係止片
９４  押片
９８  位置決め片
【図１】
0003997765.tif 000002
【図２】
0003997765.tif 000003
【図３】
0003997765.tif 000004
【図４】
0003997765.tif 000005
【図５】
0003997765.tif 000006
【図６】
0003997765.tif 000007
【図７】
0003997765.tif 000008
【図８】
0003997765.tif 000009
【図９】
0003997765.tif 000010